(57)【要約】  本発明に係る加湿清浄装置は、下側に吸入流路が形成され、上側にクリーン連結流路が形成され、前記吸入流路を介して吸入された空気を前記クリーン連結流路に吐出させるベースボディと、水が保存され、前記ベースボディ上側に据え置かれ、前記ベースボディに対して分離可能な水槽と、前記水槽外側に形成され、前記水槽の外部空気を水槽の内部に案内する加湿連結流路とを備え、前記水槽が前記ベースボディに据え置かれるとき、前記加湿連結流路及びクリーン連結流路が連通される。本発明に係る加湿清浄装置は、水が保存される水槽にベースボディで生成されたろ過空気を供給してろ過及び加湿を行うことができ、ユーザが所望する場合、水槽をベースボディから分離できるという長所がある。  【選択図】図４
2018532095.tif 000002
【特許請求の範囲】
【請求項１】
加湿清浄装置であって、
下側に吸入流路が形成され、上側にクリーン連結流路が形成され、前記吸入流路を介して吸入された空気を前記クリーン連結流路に吐出させるベースボディと、
水が保存され、前記ベースボディ上側に据え置かれ、前記ベースボディに対して分離可能な水槽と、
前記水槽外側に形成され、前記水槽の外部空気を水槽の内部に案内する加湿連結流路と、を備え、
前記水槽が前記ベースボディに据え置かれるとき、前記加湿連結流路及びクリーン連結流路が連通される、加湿清浄装置。
【請求項２】
前記ベースボディは、前記水槽の少なくとも一部が挿入される水槽挿入空間をさらに備え、
前記水槽が前記ベースボディに据え置かれるとき、前記水槽が前記水槽挿入空間に挿入され、前記クリーン連結流路及び加湿連結流路が互いに連通される、請求項１に記載の加湿清浄装置。
【請求項３】
前記水槽に形成されたエアーウォッシュ流入口をさらに備え、前記エアーウォッシュ流入口は、前記加湿連結流路及び水槽の内部を連通させ、前記クリーン連結流路から供給された空気を前記水槽内部に案内する、請求項１に記載の加湿清浄装置。
【請求項４】
前記水槽と結合されるビジュアルボディをさらに備え、前記ビジュアルボディは、前記水槽の上側に配置され、前記水槽とともに前記ベースボディから分離可能であり、外部から内部を透視して見ることができる材質で形成された、請求項１に記載の加湿清浄装置。
【請求項５】
前記ビジュアルボディに形成されたエアーウォッシュ流入口をさらに備え、
前記エアーウォッシュ流入口は、前記加湿連結流路及びビジュアルボディの内部を連通させ、前記クリーン連結流路から供給された空気を前記ビジュアルボディ内部に案内する、請求項４に記載の加湿清浄装置。
【請求項６】
前記水槽及びビジュアルボディ間に配置されたエアーウォッシュ流入口をさらに備え、前記エアーウォッシュ流入口は、前記加湿連結流路及び水槽の内部を連通させ、前記クリーン連結流路から供給された空気を前記水槽内部に案内する、請求項４に記載の加湿清浄装置。
【請求項７】
前記水槽またはビジュアルボディのうち、少なくともいずれか１つに配置されたエアーウォッシュ流入口をさらに備え、前記エアーウォッシュ流入口は、前記加湿連結流路及び水槽の内部を連通させ、前記クリーン連結流路から供給された空気を前記水槽内部に案内する、請求項４に記載の加湿清浄装置。
【請求項８】
前記ベースボディは、前記クリーン連結流路の少なくとも一部を形成するエアーガイドをさらに備え、
前記水槽が前記ベースボディに据え置かれるとき、前記エアーガイドは、前記エアーウォッシュ流入口の外側に配置され、前記エアーウォッシュ流入口を囲むように形成され、前記クリーン連結流路の空気を前記エアーウォッシュ流入口に案内する、請求項５〜７の何れか一項に記載の加湿清浄装置。
【請求項９】
前記エアーウォッシュ流入口は、前記水槽に対して３６０度全方向に形成され、前記エアーガイドは、前記エアーウォッシュ流入口の３６０度全方向を囲むように形成され、
前記エアーガイドにより案内された空気は、前記エアーウォッシュ流入口の３６０度全方向を介して前記水槽の内部に流動する、請求項８に記載の加湿清浄装置。
【請求項１０】
前記ベースボディは、
前記吸入流路を介して吸入された空気をろ過させるフィルタアセンブリをさらに備え、前記フィルタアセンブリは、前記ベースボディに対して分離可能に配置された、請求項１に記載の加湿清浄装置。
【請求項１１】
前記ベースボディは、前記吸入流路を介して吸入された空気を前記クリーン連結流路側に流動させる送風ユニットをさらに備え、
前記送風ユニットは、前記フィルタアセンブリの上側に配置され、前記フィルタアセンブリのろ過空気を前記クリーン連結流路に送風させる、請求項１に記載の加湿清浄装置。
【請求項１２】
前記ベースボディは、
下側に前記吸入流路が形成されたロアボディと、
前記ロアボディの上側に位置し、前記ロアボディと結合され、前記クリーン連結流路が形成されるアッパーボディと、をさらに備え、
前記ロアボディは、内部に前記吸入流路を介して吸入された空気をろ過させるフィルタアセンブリが配置されたロアボディと、前記吸入流路を介して吸入された空気を前記クリーン連結流路側に流動させる送風ユニットと、をさらに備え、
前記アッパーボディは、前記クリーン連結流路の少なくとも一部を形成するエアーガイドをさらに備え、
前記水槽が前記ベースボディに据え置かれるとき、前記エアーガイドは、前記エアーウォッシュ流入口の外側に配置され、前記エアーウォッシュ流入口を囲むように形成され、前記クリーン連結流路の空気を前記加湿連結流路に案内する、請求項３、５、６、及び７の何れか一項に記載の加湿清浄装置。
【請求項１３】
前記水槽と結合されるビジュアルボディをさらに備え、前記ビジュアルボディは、前記水槽の上側に配置され、前記水槽とともに前記ベースボディから分離可能であり、外部から内部を透視して見ることができる材質で形成され、
前記加湿連結流路は、前記水槽またはビジュアルボディのうち、少なくとも何れか１つの外側に配置される、請求項１２に記載の加湿清浄装置。
【請求項１４】
前記水槽またはビジュアルボディのうち、少なくともいずれか１つに配置されるビジュアルボディをさらに備え、前記ビジュアルボディは、前記加湿連結流路及び水槽の内部を連通させ、前記クリーン連結流路から供給された空気を前記水槽内部に案内する、請求項１３に記載の加湿清浄装置。
【請求項１５】
前記水槽の内部に配置された水槽加湿媒体をさらに備え、前記水槽加湿媒体は、前記水槽の保存された水と離間し、前記水槽の保存された水の供給を受けて濡らされ、前記エアーウォッシュ流入口をカバーし、前記エアーウォッシュ流入口を通過する空気に水分を提供する請求項３、５、６、及び７の何れか一項に記載の加湿清浄装置。
【請求項１６】
前記ビジュアルボディの上部に分離可能に据え置かれるトップカバーアセンブリをさらに備え、
前記トップカバーアセンブリまたはビジュアルボディのうち、少なくとも何れか１つに吐出流路が形成される、請求項１に記載の加湿清浄装置。
【請求項１７】
前記ビジュアルボディの上部に分離可能に据え置かれるトップカバーアセンブリをさらに備え、
前記トップカバーアセンブリ又はビジュアルボディ間に吐出流路が形成される、請求項１に記載の加湿清浄装置。
【請求項１８】
前記吐出流路に配置される吐出加湿媒体をさらに備え、前記吐出加湿媒体は、前記水槽の保存された水と離間し、前記水槽の保存された水の供給を受けて濡らされ、前記吐出流路をカバーし、前記吐出流路を通過する空気に水分を提供する、請求項１６又は１７に記載の加湿清浄装置。
【請求項１９】
上部から給水された水を前記水槽の内部に案内する給水流路をさらに備え、前記給水流路は、前記トップカバーアセンブリに配置された、請求項１６又は１７に記載の加湿清浄装置。
【請求項２０】
前記給水流路及び吐出流路は、分離されて配置された、請求項１９に記載の加湿清浄装置。
【発明の詳細な説明】
【技術分野】
【０００１】
本発明は、加湿清浄装置に関するものである。
【背景技術】
【０００２】
空気調和装置は、空気の温度を制御するエアコン、空気の異物を除去して清浄度を維持させる空気清浄器、空気中に水分を提供する加湿器、空気中の水分を除去する除湿機などがある。
【０００３】
従来の加湿器は、振動板で水を霧化させて空気中に吐出する振動式及び加湿フィルタで自然蒸発させる自然蒸発式に区分される。
【０００４】
前記自然蒸発式加湿器は、駆動力を利用してディスクを回転させ、空気中のディスク表面で水が自然蒸発されるディスク式加湿器と、水で濡らした加湿媒体において流動する空気により自然蒸発される加湿フィルタ式加湿器とに区分される。
【０００５】
従来の加湿器は、加湿過程で流動する空気のうちの一部がフィルタでろ過された。
【０００６】
しかし、従来の加湿器は、湿度の低い季節にのみ使用され、空気清浄器は、加湿機能がないため、２つの製品を備えなければならないという問題点があった。
【０００７】
また、従来の加湿器は、加湿機能が主な機能であり、空気を浄化する空気清浄機能は、付加的な機能であるため、空気清浄機能が微弱な問題点があった。また、従来の加湿器または空気清浄器は、加湿または空気清浄を区分して別に作動させることができないという問題点があった。
【発明の概要】
【発明が解決しようとする課題】
【０００８】
本発明は、加湿機能及び空気清浄機能を独立的に作動させることができる加湿清浄装置を提供することにその目的がある。
【０００９】
本発明は、加湿流路に結ばれた水滴をユーザが目で確認し、加湿がなされる状態を直観的に確認できる加湿清浄装置を提供することにその目的がある。
【００１０】
本発明は、空気清浄がなされるベースボディから加湿がなされる水槽が分離可能に据え置かれ、前記水槽がベースボディに据え置かれるとき、初めて連結流路を介してろ過空気を水槽内部に供給できる加湿清浄装置を提供することにその目的がある。
【００１１】
本発明は、吸入された空気が吐出されるまで空気のろ過及び加湿がなされ、空気の流動方向が最小化された加湿清浄装置を提供することにその目的がある。
【００１２】
本発明は、ろ過された空気が加湿されるとき、３６０度全方向にろ過空気が供給されて流量を十分確保できる加湿清浄装置を提供することにその目的がある。
【００１３】
本発明は、加湿流路の入口に配置された水槽加湿媒体を通過しつつろ過空気が加湿され、加湿流路の出口に配置された吐出加湿媒体を通過しつつろ過空気の加湿がさらに加湿される加湿清浄装置を提供することにその目的がある。
【００１４】
本発明は、加湿媒体が濡らされるとき、飛散した水滴によりろ過空気が洗われる加湿清浄装置を提供することにその目的がある。
【００１５】
本発明は、加湿媒体が水槽の水と離間して配置され、加湿モードで作動されないときには、乾燥状態を維持できる加湿清浄装置を提供することにその目的がある。本発明の課題は、以上で言及した課題に制限されず、言及されていないさらに他の課題は、下記の記載から当業者に明確に理解され得るであろう。
【課題を解決するための手段】
【００１６】
本発明に係る加湿清浄装置は、ろ過された空気を飛散した水滴を介して再度洗い落とすことができる。
【００１７】
本発明に係る加湿清浄装置は、ベースボディから水槽を簡便に分離することができる。
【００１８】
本発明に係る加湿清浄装置は、ビジュアルボディ内部でレインビューを実現し、レインビューを介して加湿媒体を濡らすことができる。
【００１９】
本発明に係る加湿清浄装置は、加湿がなされる過程でも水を給水することができる。
【００２０】
本発明に係る加湿清浄装置は、空気清浄がなされるエアークリーンモジュールで加湿がなされるエアーウォッシュモジュールを分離でき、連結流路を介してエアークリーンモジュールのろ過空気をエアーウォッシュモジュールに供給して加湿することができる。
【００２１】
本発明に係る加湿清浄装置は、下側に吸入流路が形成され、上側にクリーン連結流路が形成され、前記吸入流路を介して吸入された空気を前記クリーン連結流路に吐出させるベースボディと、水が保存され、前記ベースボディ上側に据え置かれ、前記ベースボディに対して分離可能な水槽と、前記水槽外側に形成され、前記水槽の外部空気を水槽の内部に案内する加湿連結流路とを備え、前記水槽が前記ベースボディに据え置かれるとき、前記加湿連結流路及びクリーン連結流路が連通される。
【００２２】
前記ベースボディは、前記水槽の少なくとも一部が挿入される水槽挿入空間をさらに備え、前記水槽が前記ベースボディに据え置かれるとき、前記水槽が前記水槽挿入空間に挿入され、前記クリーン連結流路及び加湿連結流路が互いに連通されることができる。
【００２３】
前記水槽に形成されたエアーウォッシュ流入口をさらに備え、前記エアーウォッシュ流入口は、前記加湿連結流路及び水槽の内部を連通させ、前記クリーン連結流路から供給された空気を前記水槽内部に案内することができる。
【００２４】
前記水槽と結合されるビジュアルボディをさらに備え、前記ビジュアルボディは、前記水槽の上側に配置され、前記水槽とともに前記ベースボディから分離可能であり、外部から内部を透視して見ることができる材質で形成されることができる。
【００２５】
前記ビジュアルボディに形成されたエアーウォッシュ流入口をさらに備え、前記エアーウォッシュ流入口は、前記加湿連結流路及びビジュアルボディの内部を連通させ、前記クリーン連結流路から供給された空気を前記ビジュアルボディ内部に案内することができる。
【００２６】
前記水槽及びビジュアルボディ間に配置されたエアーウォッシュ流入口をさらに備え、前記エアーウォッシュ流入口は、前記加湿連結流路及び水槽の内部を連通させ、前記クリーン連結流路から供給された空気を前記水槽内部に案内することができる。
【００２７】
前記水槽またはビジュアルボディのうち、少なくともいずれか１つに配置されたエアーウォッシュ流入口をさらに備え、前記エアーウォッシュ流入口は、前記加湿連結流路及び水槽の内部を連通させ、前記クリーン連結流路から供給された空気を前記水槽内部に案内することができる。
【００２８】
前記ベースボディは、前記クリーン連結流路の少なくとも一部を形成するエアーガイドをさらに備え、前記水槽が前記ベースボディに据え置かれるとき、前記エアーガイドは、前記エアーウォッシュ流入口の外側に配置され、前記エアーウォッシュ流入口を囲むように形成され、前記クリーン連結流路の空気を前記エアーウォッシュ流入口に案内することができる。
【００２９】
前記エアーウォッシュ流入口は、前記水槽に対して３６０度全方向に形成され、前記エアーガイドは、前記エアーウォッシュ流入口の３６０度全方向を囲むように形成され、前記エアーガイドにより案内された空気は、前記エアーウォッシュ流入口の３６０度全方向を介して前記水槽の内部に流動することができる。
【００３０】
前記ベースボディは、前記吸入流路を介して吸入された空気をろ過させるフィルタアセンブリをさらに備え、前記フィルタアセンブリは、前記ベースボディに対して分離可能に配置されることができる。
【００３１】
前記ベースボディは、前記吸入流路を介して吸入された空気を前記クリーン連結流路側に流動させる送風ユニットをさらに備え、前記送風ユニットは、前記フィルタアセンブリの上側に配置され、前記フィルタアセンブリのろ過空気を前記クリーン連結流路に送風させることができる。
【００３２】
前記ベースボディは、下側に前記吸入流路が形成されたロアボディと、前記ロアボディの上側に位置し、前記ロアボディと結合され、前記クリーン連結流路が形成されるアッパーボディとをさらに備え、前記ロアボディは、内部に前記吸入流路を介して吸入された空気をろ過させるフィルタアセンブリが配置されたロアボディと、前記吸入流路を介して吸入された空気を前記クリーン連結流路側に流動させる送風ユニットとをさらに備え、前記アッパーボディは、前記クリーン連結流路の少なくとも一部を形成するエアーガイドをさらに備え、前記水槽が前記ベースボディに据え置かれるとき、前記エアーガイドは、前記エアーウォッシュ流入口の外側に配置され、前記エアーウォッシュ流入口を囲むように形成され、前記クリーン連結流路の空気を前記加湿連結流路に案内することができる。
【００３３】
前記水槽と結合されるビジュアルボディをさらに備え、前記ビジュアルボディは、前記水槽の上側に配置され、前記水槽とともに前記ベースボディから分離可能であり、外部から内部を透視して見ることができる材質で形成され、前記加湿連結流路は、前記水槽またはビジュアルボディのうち、少なくともいずれか１つの外側に配置されることができる。
【００３４】
前記水槽またはビジュアルボディのうち、少なくともいずれか１つに配置されるビジュアルボディをさらに備え、前記ビジュアルボディは、前記加湿連結流路及び水槽の内部を連通させ、前記クリーン連結流路から供給された空気を前記水槽内部に案内することができる。
【００３５】
前記水槽の内部に配置された水槽加湿媒体をさらに備え、前記水槽加湿媒体は、前記水槽の保存された水と離間し、前記水槽の保存された水の供給を受けて濡らされ、前記エアーウォッシュ流入口をカバーし、前記エアーウォッシュ流入口を通過する空気に水分を提供できる。
【００３６】
前記ビジュアルボディの上部に分離可能に据え置かれるトップカバーアセンブリをさらに備え、前記トップカバーアセンブリまたはビジュアルボディのうち、少なくともいずれか１つに吐出流路が形成され得る。
【００３７】
前記ビジュアルボディの上部に分離可能に据え置かれるトップカバーアセンブリをさらに備え、前記トップカバーアセンブリまたはビジュアルボディ間に吐出流路が形成され得る。
【００３８】
前記吐出流路に配置される吐出加湿媒体をさらに備え、前記吐出加湿媒体は、前記水槽の保存された水と離間し、前記水槽の保存された水の供給を受けて濡らされ、前記吐出流路をカバーし、前記吐出流路を通過する空気に水分を提供できる。
【００３９】
上部から給水された水を前記水槽の内部に案内する給水流路をさらに備え、前記給水流路は、前記トップカバーアセンブリに配置されることができる。前記給水流路及び吐出流路は、分離されて配置されることができる。
【発明の効果】
【００４０】
本発明に係る加湿清浄装置は、次のような効果が１つあるいはそれ以上ある。
【００４１】
第１に、水が保存される水槽にベースボディで生成されたろ過空気を供給してろ過及び加湿を行うことができ、ユーザが所望する場合、水槽をベースボディから分離できるという長所がある。
【００４２】
第２に、飛散した水滴が加湿流路を通過する空気を洗い落とすという長所がある。
【００４３】
第３に、水槽が据え置かれるアッパーボディにエアーガイドを配置し、前記エアーガイドを介して空気の転流角を最小化し、空気の流動抵抗を最小化できるという長所がある。
【００４４】
第４に、空気をろ過するエアークリーンモジュールと空気を加湿するエアーウォッシュモジュールとを分離可能に構成し、水と接触されるエアーウォッシュモジュールだけを分離して掃除することができるという長所がある。
【００４５】
第５に、ビジュアルボディに結ばれた水滴をユーザが目で確認することができ、これにより加湿がなされていることを直観的に認知できるという長所がある。
【００４６】
第６に、吸入流路、ろ過流路、加湿流路、及び吐出流路は、空気の流動方向が略直線で形成され、連結流路では、空気の流動方向切換を最小化して空気の流動抵抗を最小化させることができるという長所がある。
【００４７】
第７に、ろ過空気を加湿する加湿媒体を水と離間させて配置し、加湿モードに使用されないときには、加湿媒体を乾燥状態に維持できるという長所がある。
【００４８】
第８に、加湿流路の入口及び出口に各々加湿媒体を配置し、ろ過空気が各加湿媒体を通過するようにして加湿量を十分確保できるという長所がある。
【００４９】
第９に、加湿流路の３６０度全方向にろ過空気が供給されるので、空気の流量を十分確保できるという長所がある。
【００５０】
第１０に、ウォータリングユニットが作動されるとき、ビジュアルボディに雨が降るようなレインビュー効果が実現され、前記レインビュー効果をユーザが目で直接確認できるという長所がある。
【００５１】
第１１に、レインビュー効果が実現されるとき、実際に雨が降るような音を生成させることで、心身を安定させるという効果がある。
【００５２】
第１２に、トップカバーアセンブリに吐出流路と給水流路とが分離されて配置されるので、加湿がなされる過程でも水を給水でき、吐出空気とともに水が外へ飛散することを防止するという長所がある。本発明の効果は、以上で言及した効果に制限されず、言及されていないさらに他の効果は、請求の範囲の記載から当業者に明確に理解され得るであろう。
【図面の簡単な説明】
【００５３】
【図１】本発明の第１の実施形態に係る加湿清浄装置の斜視図である。
【図２】図１の分解斜視図である。
【図３】図１の分解正面図である。
【図４】図３の分解断面図である。
【図５】本発明の第１の実施形態に係る加湿清浄装置の空気流れが示された例示図である。
【図６】図４に示された加湿清浄装置の空気流れが示された例示図である。
【図７】図６に示されたロアボディの空気流れが示された例示図である。
【図８】図６に示された据え置きボディの空気流れが示された例示図である。
【図９】図６に示されたエアーウォッシュモジュールの空気流れが示された例示図である。
【発明を実施するための形態】
【００５４】
本発明の利点及び特徴、そして、それらを達成する方法は、添付される図面とともに詳細に後述されている実施形態を参照すれば明確になるであろう。しかし、本発明は、以下において開示される実施形態等に限定されるものではなく、互いに異なる様々な形態で実現されることができ、ただし、本実施形態等は、本発明の開示が完全なようにし、本発明の属する技術分野における通常の知識を有する者に発明の範疇を完全に知らせるために提供されるものであり、本発明は、請求項の範疇により定義されるだけである。明細書全体にわたって同一参照符号は、同一構成要素を指す。
【００５５】
以下、本発明の実施形態を添付された図面を参照して詳細に説明する。
【００５６】
図１は、本発明の第１の実施形態に係る加湿清浄装置の斜視図であり、図２は、図１の分解斜視図であり、図３は、図１の分解正面図であり、図４は、図３の分解断面図である。
【００５７】
本実施形態に係る加湿清浄装置は、エアークリーンモジュール１００及び前記エアークリーンモジュール１００上側に据え置かれるエアーウォッシュモジュール２００を備える。
【００５８】
前記エアークリーンモジュール１００は、外部空気を吸入した後にろ過し、ろ過空気を前記エアーウォッシュモジュール２００に提供する。前記エアーウォッシュモジュール２００は、前記ろ過空気の供給を受けて水分を提供する加湿を行い、加湿空気を外部に吐出する。
【００５９】
前記エアーウォッシュモジュール２００は、水が保存される水槽３００を備える。前記水槽３００は、前記エアーウォッシュモジュール２００が分離されるとき、前記エアークリーンモジュール１００から分離可能である。前記エアーウォッシュモジュール２００は、エアークリーンモジュール１００上に据え置かれる。
【００６０】
ユーザは、前記エアーウォッシュモジュール２００をエアークリーンモジュール１００から分離することができ、分離されたエアーウォッシュモジュール２００を掃除することができる。ユーザは、エアーウォッシュモジュール２００が分離されたエアークリーンモジュール１００内部を掃除することもできる。前記エアーウォッシュモジュール２００が分離された場合、前記エアークリーンモジュール１００の上面がユーザに開放される。
【００６１】
前記エアークリーンモジュール１００は、後述するフィルタアセンブリ１０を備え、ベースボディ１１０からフィルタアセンブリ１０を分離した後、掃除することができる。
【００６２】
ユーザは、前記エアーウォッシュモジュール２００に水を供給できる。前記エアーウォッシュモジュール２００には、外部から前記水槽３００へ水を供給できる給水流路１０９が形成される。
【００６３】
前記給水流路１０９は、空気が吐出される吐出流路１０７と分離されて構成される。前記給水流路１０９は、いつでも前記水槽に水を供給できるように構成される。例えば、前記エアーウォッシュモジュール２００が作動中であるときにも給水流路を介して水を供給できる。例えば、前記エアーウォッシュモジュール２００がエアークリーンモジュール１００に結合された状態でも給水流路を介して水を供給できる。例えば、前記エアーウォッシュモジュール２００がエアークリーンモジュール１００から分離される状態であるときにも給水流路を介して水を供給できる。
【００６４】
前記エアークリーンモジュール１００及びエアーウォッシュモジュール２００は、連結流路１０３を介して連結される。前記エアーウォッシュモジュール２００が分離可能であるため、前記連結流路１０３は、エアークリーンモジュール１００及びエアーウォッシュモジュール２００に分散されて配置される。前記エアーウォッシュモジュール２００がエアークリーンモジュール１００に据え置かれるとき、初めてエアーウォッシュモジュール２００の流路とエアークリーンモジュール１００の流路とが連結流路１０３を介して互いに連通される。
【００６５】
前記エアークリーンモジュール１００に形成された連結流路をクリーン連結流路１０４と定義し、前記エアーウォッシュモジュール２００に形成された連結流路を加湿連結流路１０５と定義する。
【００６６】
前記エアークリーンモジュール１００及びエアーウォッシュモジュール２００を通過する空気の流動は、より詳細に後述する。
【００６７】
以下、エアークリーンモジュール１００及びエアーウォッシュモジュール２００についてより詳細に説明する。
【００６８】
前記エアークリーンモジュール１００は、ベースボディ１１０と、前記ベースボディ１１０に配置され、空気をろ過させるフィルタアセンブリ１０と、前記ベースボディ１１０に配置され、空気を流動させる送風ユニット２０とを備える。
【００６９】
前記エアーウォッシュモジュール２００は、加湿のための水が保存され、前記エアークリーンモジュール１００に分離可能に据え置かれる水槽３００と、前記水槽３００に配置され、前記水槽３００内部に配置され、前記水槽の水を噴射するウォータリングユニット４００と、前記ウォータリングユニット４００から噴射された水により濡らされ、流動する空気に水分を提供する加湿媒体５０と、前記水槽３００に結合され、内部を見ることができる材質で形成されたビジュアルボディ２１０と、前記ビジュアルボディ２１０に分離可能に据え置かれ、空気が吐出される吐出流路１０７及び水が供給される給水流路１０９が形成されたトップカバーアセンブリ２３０とを備える。
【００７０】
前記エアークリーンモジュール１００には、吸入流路１０１、ろ過流路１０２、送風流路１０８、クリーン連結流路１０４が配置される。前記吸入流路１０１を介して吸入された空気は、ろ過流路１０２、送風流路１０８を経てクリーン流路１０４に流動する。
【００７１】
前記エアーウォッシュモジュール２００は、加湿連結流路１０５、加湿流路１０６、吐出流路１０７、及び給水流路１０９が配置される。
【００７２】
前記エアークリーンモジュール１００のクリーン連結流路１０４及びエアーウォッシュモジュール２００の加湿連結流路１０５は、エアーウォッシュモジュール２００がエアークリーンモジュール１００に据え置かれるとき、初めて連結される。
【００７３】
前記エアーウォッシュモジュール２００の加湿連結流路１０５を介して供給されたろ過空気は、加湿流路１０６及び吐出流路１０７を経て室内に吐出される。前記給水流路１０９は、加湿流路１０６と連通されるが、空気は吐出させず、水のみ給水され得る構造で製作される。
【００７４】
まず、エアークリーンモジュール１００の各構成について説明する。
【００７５】
前記ベースボディ１１０は、アッパーボディ１２０及びロアボディ１３０で構成される。前記ロアボディ１３０上側に前記アッパーボディ１２０が積層され、前記アッパーボディ１２０及びロアボディ１３０は組み立てられる。
【００７６】
前記ベースボディ１１０内部に空気が流動する。
【００７７】
前記ロアボディ１３０に吸入流路１０１、ろ過流路１０２、及び送風流路１０８が配置され、前記吸入流路１０１、ろ過流路１０２、及び送風流路１０８を形成させる構造物等が配置される。
【００７８】
前記アッパーボディ１２０に連結流路１０３の一部が配置され、ろ過された空気を前記エアーウォッシュモジュール２００に案内するための構造物等及びエアーウォッシュモジュール２００を据え置くための構造物等が配置される。
【００７９】
前記ベースボディ１１０は、外形を形成し、下側面に吸入口１１１が形成されたロアボディ１３０と、外形を形成し、前記ロアボディ１３０上側に結合されるアッパーボディ１２０とを備える。
【００８０】
前記フィルタアセンブリ１０は、前記ベースボディ１１０から脱着可能に組み立てられる。
【００８１】
前記フィルタアセンブリ１０は、ろ過流路１０２を提供し、外部空気に対してフィルタリングを行う。前記フィルタアセンブリ１０は、前記ベースボディ１１０に対して水平方向に脱着可能な構造である。前記フィルタアセンブリ１０は、垂直方向を逆らって流動する空気の流動方向に対して交差するように配置される。前記フィルタアセンブリ１０は、水平方向にスライド移動され、垂直方向上側に流動する空気に対してろ過を行う。前記フィルタアセンブリ１０は、水平に配置され、上下方向にろ過流路１０２を形成する。
【００８２】
前記フィルタアセンブリ１０は、前記ベースボディ１１０に対して水平方向に摺動されることができる。
【００８３】
前記フィルタアセンブリ１０は、前記ロアボディ１３０内部に配置され、ろ過流路１０２を形成するフィルタハウジング１１と、前記フィルタハウジング１１に分離可能に結合され、前記ろ過流路１０２を通過する空気に対してろ過を行うフィルタ１４とを備える。
【００８４】
前記フィルタハウジング１２は、下側が吸入流路１０１と連通され、上側が送風流路１０８と連通される。前記吸入流路１０１を介して吸入された空気は、ろ過流路１０２を経て送風流路１０８に流動する。
【００８５】
前記フィルタハウジング１２は、前記ろ過流路１０２と交差する方向に一側が開口する。前記フィルタハウジング１２の開口面を介して前記フィルタ１４が分離可能に結合され得る。前記フィルタハウジング１２の開口面は、側方向に形成される。前記フィルタハウジング１２の開口面は、ロアボディ１３０の外側面に配置される。これにより、前記フィルタ１４は、前記ロアボディ１３０の側面を介して挿入され、フィルタハウジング１２内部に位置する。前記フィルタ１４は、前記ろ過流路１０２と交差するように配置され、前記ろ過流路１０２を通過する空気に対してろ過を行う。
【００８６】
前記フィルタ１４は、印加された電源を帯電させて空気中の異物を捕集する電気集塵フィルタでありうる。前記フィルタ１４は、ろ過材を介して空気中の異物を捕集する材質で形成されることができる。前記フィルタ１４は、様々な構造が配置され得る。前記フィルタ１４のろ過方式またはフィルタのろ過材によって本発明の権利が制限されない。
【００８７】
前記ろ過流路１０２は、加湿清浄装置の主な流動方向と同じ方向に配置される。本実施形態において前記ろ過流路１０２は、上下方向に配置され、重力反対方向に空気を流動させる。すなわち、前記加湿清浄装置の主な流動方向は、下側から上側に向かうように形成される。
【００８８】
前記フィルタハウジング１２の上側に送風ユニット２０が配置される。
【００８９】
前記フィルタハウジング１２の上側面は、開口して形成され、前記ろ過流路１０２を通過した空気は、前記送風ユニット２０に流動する。
【００９０】
前記送風ユニット２０は、空気の流動を生成させる。前記送風ユニット２０は、前記ベースボディ１１０内部に配置され、下側から上側に空気を流動させる。
【００９１】
前記送風ユニット２０は、送風ハウジング１５０、送風モータ２２、及び送風ファン２４で構成される。本実施形態において前記送風モータ２２が上側に配置され、送風ファン２４が下側に配置される。前記送風モータ２２のモータ軸が下方に向かって設けられ、前記送風ファン２４と組み立てられる。
【００９２】
前記送風ハウジング１５０は、前記ベースボディ１１０内部に配置される。前記送風ハウジング１５０は、流動する空気の流路を提供する。前記送風ハウジング１５０に前記送風モータ２２及び送風ファン２４が配置される。
【００９３】
前記送風ハウジング１５０は、前記フィルタアセンブリ１０上側に配置され、前記アッパーボディ１２０下側に配置される。
【００９４】
前記送風ハウジング１５０は、内部に送風流路１０８を形成させる。前記送風流路１０８に前記送風ファン２４が配置される。前記送風流路１０８は、ろ過流路１０２及びクリーン連結流路１０４を連結させる。
【００９５】
前記送風ファン２４は、遠心ファンであって、下側で空気を吸入した後、半径方向外側に空気を吐出させる。前記送風ファン２４は、半径方向外側及び上側に空気を吐出させる。前記送風ファン２４は、外側端が半径方向上側に向かうように形成される。
【００９６】
前記送風モータ２２は、流動する空気との接触を最小化させるために、前記送風ファン２４の上側に配置される。前記送風モータ２２は、送風ファン２４により囲まれて設けられる。前記送風モータ２２は、前記送風ファン２４による空気流路上に位置せず、送風ファン２４により流動する空気と抵抗を発生させない。
【００９７】
前記アッパーボディ１２０は、ベースボディ１１０の外形を形成し、ロアボディ１３０と結合されるアッパーアウターボディ１２８と、前記アッパーアウターボディ１２８の内側に配置され、前記水槽３００が挿入され、連結流路１０３を提供するアッパーインナーボディ１４０と、前記アッパーインナーボディ１４０及びアッパーアウターボディ１２８を結合させ、空気を前記水槽３００に案内するエアーガイド１７０とを備える。
【００９８】
前記アッパーボディ１２０は、連結流路及び水槽挿入空間を分離して配置するので、水槽３００の水が連結流路に流入することを最小化できる。特に、アッパーインナーボディを介して仕切られて連結流路が水が保存される空間の外側に配置されるので、水が連結流路に流入することを抑制できる。
【００９９】
前記アッパーインナーボディ１４０は、上側が開口して形成され、前記水槽３００が挿入される。前記アッパーインナーボディ１４０は、ろ過空気が流入するクリーン連結流路１０４のうちの一部を形成する。
【０１００】
前記アッパーインナーボディ１４０は、エアーウォッシュ流入口３１と対応するアッパー流入口１２１が形成される。前記アッパー流入口１２１は、必須構成要素ではない。アッパーボディ１２０が前記エアーウォッシュ流入口３１を連結流路１０３に露出させる形状であれば、それで十分である。
【０１０１】
前記エアーガイド１７０は、クリーン連結流路１０４を介して供給された空気を前記アッパー流入口１２１に案内する。前記エアーガイド１７０は、ベースボディ１１０の外側に沿って上昇された空気を内側に集める。前記エアーガイド１７０は、下側から上側に流動する空気の流動方向を切り換える。ただし、前記エアーガイド１７０は、空気の流動方向を切り換えるものの、その角度を最小化させて空気の流動抵抗を最小化させる。
【０１０２】
前記エアーガイド１７０は、アッパーインナーボディ１４０の外側を３６０度囲むように形成される。前記エアーガイド１７０は、３６０度全方向に対して空気を前記水槽３００に案内する。前記エアーガイド１７０は、ロアボディ１３０の外側に沿って案内された空気を内側に集めて水槽３００に供給する。このような構造により前記水槽３００に供給される空気の流量を十分確保できる。
【０１０３】
これにより、前記エアーガイド１７０は、空気の流動方向に形成された案内部１７２と、前記案内部１７２と連結され、案内された空気の流動方向を切り換える切換部１７４とを備える。
【０１０４】
前記エアーガイド１７０は、連結流路１０３を形成する。
【０１０５】
前記案内部１７２は、ろ過流路１０２と略同じ方向に形成され、本実施形態では、上下方向に形成される。前記切換部１７４は、前記ろ過流路１０２と交差する方向に形成され、本実施形態では、略水平方向に形成される。
【０１０６】
前記切換部１７４は、エアーガイド１７０の上側に形成される。前記切換部１７２は、案内部１７２と曲面に連結されることが好ましい。
【０１０７】
前記切換部１７４が水平方向に形成されても、前記連結流路１０３を通過する空気は、略傾斜した上側方向に流動する。前記連結流路１０３及びろ過流路１０２の転流角を直進方向と類似して形成し、空気の流動抵抗を低減できる。
【０１０８】
前記案内部１７２の下端が前記アッパーアウターボディ１２８に固定される。前記切換部１７４の上側端が前記アッパーインナーボディ１４０に固定される。
【０１０９】
前記アッパーインナーボディ１４０外側に前記クリーン連結流路１０４のうちの一部が形成される。前記エアーガイド１７０がクリーン連結流路１０４のうちの一部を形成する。前記クリーン連結流路１０４を通過した空気は、アッパー流入口１２１及びエアーウォッシュ流入口３１を介して水槽３００内部に流動する。
【０１１０】
前記アッパーインナーボディ１４０は、全体的にバスケット状である。前記アッパーインナーボディ１４０は、平断面が円形に形成され、前記クリーン連結流路１０４は、３６０度全方向に形成される。
【０１１１】
前記エアーガイド１７０は、ろ過空気を前記クリーン連結流路１０４に案内するための構成であり、実施形態によって含まれないこともある。前記エアーガイド１７０は、アッパーインナーボディ１４０またはアッパーアウターボディ１２８を結合させる。
【０１１２】
前記エアーガイド１７０は、前記アッパーインナーボディ１４０を囲むように形成される。特に、前記エアーガイド１７０は、アッパー流入口１２１を囲むように形成され、前記アッパー流入口１２１にろ過空気を案内する。平面から見るとき、前記エアーガイド１７０は、ドーナッツ状である。
【０１１３】
本実施形態において前記エアーガイド１７０の上端は、前記アッパーインナーボディ１４０の上端に密着される。
【０１１４】
平面から見るとき、前記エアーガイド１７０の上側面と前記アッパーインナーボディ１４０の上側面とが一致する。本実施形態において前記アッパーインナーボディ１４０の上端には、前記エアーガイド１７０と結合または密着されるアッパーインナーボディリング１２６が形成される。
【０１１５】
前記アッパーインナーボディ１４０及びアッパーインナーボディリング１２６を連結するインナーボディ延長部１４８が形成される。前記インナーボディ延長部１４８は、複数個が配置される。前記インナーボディ延長部１４８及びアッパーインナーボディリング１２６間にアッパー流入口１２１が形成される。
【０１１６】
前記インナーボディ延長部１４８は、水槽ボディ延長部３８０と対応する。前記水槽３００の据え置きの際、前記インナーボディ延長部１４８の内側に水槽ボディ延長部３８０が位置する。前記インナーボディ延長部１４８及び水槽ボディ延長部３８０は、内外に重なる。
【０１１７】
前記エアーガイド１７０の上端は、前記アッパーインナーボディリング１２６と密着または結合される。前記エアーガイド１７０の下端は、アッパーアウターボディ１２８と密着または結合される。
【０１１８】
これにより、前記アッパーインナーボディ１４０及びアッパーアウターボディ１２８間のクリーン連結流路１０４を介して流動する空気は、アッパー流入口１２１に案内される。
【０１１９】
前記アッパーインナーボディリング１２６の直径と前記エアーガイド１７０上端の直径とが一致するか、類似している。前記エアーガイド１７０及びアッパーインナーボディリング１２６が密着されてろ過空気の漏れを防止する。前記アッパーインナーボディリング１２６は、エアーガイド１７０の内側に配置される。
【０１２０】
前記アッパーアウターボディ１２８に取っ手１２９が形成され得る。前記アッパーボディ１２０にエアーウォッシュモジュール２００が据え置かれるところ、前記取っ手１２９を介して加湿清浄装置全体を持ち上げることができる。
【０１２１】
前記アッパーインナーボディ１４０は、水槽３００が挿入され得るように内部に水槽挿入空間１２５が形成される。
【０１２２】
前記アッパー流入口１２１を基準に外側にクリーン連結流路１０４が配置され、内側に水槽挿入空間１２５が配置される。前記クリーン連結流路１０４に沿って流動した空気は、アッパー流入口１２１を通過する。前記水槽３００が水槽挿入空間１２５に据え置かれた場合、前記アッパー流入口１２１を通過したろ過空気は、水槽３００内部に流入する。
【０１２３】
一方、アッパーボディ１２０の上側にアウタービジュアルボディ２１４が結合される。
【０１２４】
前記アウタービジュアルボディ２１４は、ビジュアルボディ２１０の構成であるが、本実施形態では、アッパーボディ１２０に固定される。本実施形態とは異なり、前記アウタービジュアルボディ２１４は、エアーウォッシュモジュール２００に固定されても構わない。本実施形態とは異なり、前記アウタービジュアルボディ２１４は、削除可能な構成である。
【０１２５】
前記アウタービジュアルボディ２１４は、アッパーボディ１２０に固定される。本実施形態において前記アウタービジュアルボディ２１４は、アッパーアウターボディ１２８に結合される。前記アウタービジュアルボディ２１４は、アッパーアウターボディ１２８の外側面が連続した面を形成する。
【０１２６】
アウタービジュアルボディ２１４は、内部を透視できる材質で形成される。前記アウタービジュアルボディ２１４は、透明であるか、半透明な材質で形成され得る。
【０１２７】
前記エアークリーンモジュール１００またはエアーウォッシュモジュール２００のうち、少なくともいずれか１つに作動状態をユーザに表示するディスプレイモジュール１６０が配置され得る。本実施形態では、前記ベースボディ１１０に加湿清浄装置の作動状態をユーザに表示するディスプレイモジュール１６０が設けられる。
【０１２８】
前記アウタービジュアルボディ２１４内側にディスプレイモジュール１６０が配置される。前記ディスプレイモジュール１６０は、アウタービジュアルボディ２１４の内側面に密着されるように配置される。前記ディスプレイモジュール１６０は、平面から見るとき、ドーナッツ状である。前記ディスプレイモジュール１６０の内側に前記水槽３００が挿入される。
【０１２９】
前記ディスプレイモジュール１６０は、アウタービジュアルボディ２１４に支持される。前記ディスプレイモジュール１６０の内側縁は、アッパーインナーボディリング１２６に支持される。前記ディスプレイモジュール１６０は、エアーガイド１７０上側に位置する。前記ディスプレイモジュール１６０は、コネクタ２６０と一体に製作されることができる。
【０１３０】
前記ディスプレイモジュール１６０は、エアーガイド１７０上側に位置する。前記ディスプレイモジュール１６０は、アッパーアウターボディ１２８及びアッパーインナーボディ１４０間に配置されることができる。前記ディスプレイモジュール１６０は、ユーザがアッパーアウターボディ１２８及びアッパーインナーボディ１４０間を見ることができないようにカバーする。特に、前記アッパーアウターボディ１２８及びアッパーインナーボディ１４０間に水が浸透することを遮断するために、前記ディスプレイモジュール１６０の内側及び外側はシーリングされることが好ましい。
【０１３１】
前記ディスプレイモジュール１６０の内側は、アッパーインナーボディ１４０に支持され、外側は、アウタービジュアルボディ２１８に支持される。
【０１３２】
本実施形態において前記ディスプレイモジュール１６０はリング形状に形成される。本実施形態とは異なり、前記ディスプレイモジュール１６０は、弧形状に形成されることができる。前記ディスプレイモジュール１６０の表面は、光を反射できる材質で形成されるか、光を反射できる材質がコーティングされる。
【０１３３】
これにより、前記ビジュアルボディ２１０に水が結ばれる場合、ビジュアルボディ２１０に結ばれた水がディスプレイモジュール１６０表面に投影されたり、反射されることができる。前記ビジュアルボディ２１０で結ばれた水が流れ落ちる場合、前記ディスプレイモジュール１６０にも同じ効果が表れる。
【０１３４】
このような効果は、ユーザに視覚的な刺激を与え、加湿がなされていることをユーザが直観的に認知できる。前記ディスプレイモジュール１６０に投影された水滴イメージは、ユーザに清涼感を与える感性的効果だけでなく、加湿状態を分かることができる機能的効果もある。
【０１３５】
前記ディスプレイモジュール１６０の上側面は、傾斜して形成される。前記ディスプレイモジュール１６０は、ユーザ側に傾斜して形成される。これにより、内側が高く、外側が低く形成される。
【０１３６】
次に、エアーウォッシュモジュール２００の各構成について説明する。
【０１３７】
前記エアーウォッシュモジュール２００は、ろ過空気に対して加湿を提供する。前記エアーウォッシュモジュール２００は、加湿流路１０６でレインビューを実現することができる。前記エアーウォッシュモジュール２００は、水槽３００の水を噴射し、これを循環させる。前記エアーウォッシュモジュール２００は、水を小さな大きさの液滴に変換させ、飛散した液滴を介してろ過空気を再度洗い落とす。飛散した水滴を介してろ過空気をウォッシング（ｗａｓｈｉｎｇ）するとき、加湿及びろ過が再度なされる。
【０１３８】
前記エアーウォッシュモジュール２００は、加湿連結流路１０５、加湿流路１０６、吐出流路１０７、及び給水流路１０９を備える。
【０１３９】
前記エアーウォッシュモジュール２００は、水槽３００、ウォータリングユニット４００、加湿媒体５０、ビジュアルボディ２１０、トップカバーアセンブリ２３０、及びハンドル１８０を備える。
【０１４０】
前記ハンドル１８０は、ビジュアルボディ２１０に結合され、前記ビジュアルボディ２１０で回転され、前記ビジュアルボディ２１０に収納される。前記ハンドル１８０を介してエアーウォッシュモジュール２００のみを簡便に持ち上げることができ、前記エアークリーンモジュール１００から分離することができる。
【０１４１】
前記加湿連結流路１０５は、水槽３００の外側に配置され、前記水槽３００の内部に空気を案内することができる。前記加湿連結流路１０５は、ビジュアルボディ２１０の外側に配置され、前記ビジュアルボディ２１０の内部に空気を案内することができる。
【０１４２】
前記加湿連結流路１０５は、水槽３００またはビジュアルボディ２１０のうち、少なくともいずれか１つの外側に配置され、水槽３００またはビジュアルボディ２１０のうち、いずれか１つの内部に空気を案内することができる。
【０１４３】
前記吐出流路１０７は、トップカバーアセンブリ２３０及びビジュアルボディ２１０の間に配置されることができる。前記吐出流路１０７は、トップカバーアセンブリ２３０またはビジュアルボディ２１０のうち、少なくともいずれか１つに配置されることができる。
【０１４４】
本実施形態では、トップカバーアセンブリ２３０の外側縁に吐出流路１０７が形成され、前記トップカバーアセンブリ２３０の内側中央に給水流路１０９が配置される。
【０１４５】
本実施形態に係る加湿清浄装置は、前記エアークリーンモジュール１００に電源が連結され、前記エアーウォッシュモジュール２００は、前記エアークリーンモジュール１００を介して電源の供給を受ける。
【０１４６】
前記エアーウォッシュモジュール２００が前記エアークリーンモジュール１００に対して分離可能な構造であるから、前記エアークリーンモジュール１００及びエアーウォッシュモジュール２００は、分離可能な電源供給構造が備えられる。
【０１４７】
前記エアークリーンモジュール１００及びエアーウォッシュモジュール２００は、前記アッパーボディ１２０を介して分離可能に組み立てられるので、前記アッパーボディ１２０には、前記エアーウォッシュモジュール２００に電源を提供するコネクタ２６０が配置される。
【０１４８】
前記エアーウォッシュモジュール２００のトップカバーアセンブリ２３０は、電源を必要とする操作部及びディスプレイが配置される。前記エアーウォッシュモジュール２００には、前記コネクタ２６０と分離可能に連結されるトップコネクタ２７０が配置される。前記トップコネクタ２７０は、トップカバーアセンブリ２３０に配置される。
【０１４９】
本実施形態では、前記トップカバーアセンブリ２３０を分離できるので、ビジュアルボディ２１０の内側面または水槽３００の内側面を簡便に掃除することができる。
【０１５０】
前記トップカバーアセンブリ２３０は、内側に給水流路１０９が形成され、ビジュアルボディ２１０との間に吐出流路１０７を形成させる。前記トップカバーアセンブリ２３０は、前記ビジュアルボディ２１０に対して分離可能に設けられる。前記トップカバーアセンブリ２３０は、コネクタ２６０と電気的に連結されるトップコネクタ２７０が配置される。
【０１５１】
前記トップカバーアセンブリ２３０が据え置かれるとき、トップコネクタ２７０がコネクタ２６０上側に据え置かれる。前記トップカバーアセンブリ２３０は、前記トップコネクタ２７０を介して前記コネクタ２６０から電気の供給を受ける。
【０１５２】
前記給水流路１０９の周りには、前記水槽３００の水位を表示する水位表示部（図示せず）が配置される。これにより、ユーザは、水を給水するとき、見えない水槽３００の水位がある程度満たされたかを確認することができる。このように、ユーザが水を給水する動線上に水位表示部を配置することにより、ユーザが水を過度に供給することを防止でき、水槽３００から水が溢れることを防止できる。
【０１５３】
前記水位表示部は、前記トップカバーアセンブリ２３０に配置される。前記トップコネクタ２７０及びコネクタ２６０の分離可能な電源供給構造は、上部給水を効果的に構成できるようにする。
【０１５４】
前記水槽３００は、前記アッパーボディ１２０に分離可能に据え置かれる。前記ウォータリングユニット４００は、前記水槽３００内部に配置され、前記水槽３００内部で回転される。
【０１５５】
前記水槽３００は、水が保存される水槽ボディ３２０と、前記水槽ボディ３２０の側面に形成されたエアーウォッシュ流入口３１と、前記水槽ボディ３２０から上側へ延びて形成され、前記ビジュアルボディ２１０に結合される水槽ボディ延長部３８０とを備える。
【０１５６】
本実施形態において前記水槽ボディ３２０は、上側が開口した円筒形に形成される。本実施形態とは異なり、前記水槽ボディ３２０は、様々な形状に形成されることができる。
【０１５７】
前記水槽ボディ延長部３８０は、前記水槽３００から上側へ延びて形成される。前記水槽ボディ延長部３８０は、前記エアーウォッシュ流入口３１を形成させる。前記水槽ボディ延長部３８０間に前記エアーウォッシュ流入口３１が形成される。
【０１５８】
前記エアーウォッシュ流入口３１は、水槽ボディ３２０の側面に形成される。前記エアーウォッシュ流入口３１は、水槽ボディ３２０に対して３６０度全方向に形成される。前記エアーウォッシュ流入口３１は、加湿連結流路１０５と連通される。
【０１５９】
前記水槽ボディ延長部３８０は、前記ビジュアルボディ２１０の内側面から流れ落ちる水を前記水槽３００内部に案内する。前記ビジュアルボディ２１０から流れ落ちる水を案内することによって落水騷音を最小化することができる。
【０１６０】
前記水槽ボディ延長部３８０は、ビジュアルボディ２１０の下端に締め付けられる。
【０１６１】
本実施形態では、前記水槽ボディ３２０の構成を介してエアーウォッシュ流入口３１が形成される。本実施形態とは異なり、前記ビジュアルボディ２１０に水槽ボディ延長部３８０を配置してエアーウォッシュ流入口３１を形成させることもできる。また、本実施形態とは異なり、複数個の水槽ボディ延長部３８０のうちの一部は水槽３００に配置し、複数個の水槽ボディ延長部３８０のうちの残りはビジュアルボディ２１０に配置して、エアーウォッシュ流入口３１を構成することができる。また、本実施形態とは異なり、ビジュアルボディ２１０及び水槽３００と区分される別の構成にエアーウォッシュ流入口３１を形成させることができる。また、本実施形態とは異なり、ビジュアルボディ２１０に開口面を形成してエアーウォッシュ流入口３１を形成させ、水槽３００にも開口面を形成してエアーウォッシュ流入口３１を形成させることができる。
【０１６２】
すなわち、前記エアーウォッシュ流入口３１は、水槽３００またはビジュアルボディ２１０のうち、少なくともいずれか１つに配置されることができる。前記エアーウォッシュ流入口３１は、水槽３００及びビジュアルボディ２１０の結合によって形成されることができる。前記エアーウォッシュ流入口３１を水槽３００及びビジュアルボディ２１０と区分される別の構成に配置した後、これを水槽３００及びビジュアルボディ２１０間に配置することができる。前記エアーウォッシュ流入口３１は、前記水槽３００及びビジュアルボディ２１０の結合によって形成されることができる。
【０１６３】
前記エアーウォッシュ流入口３１は、エアーウォッシュモジュール２００の側部に配置され、加湿流路１０６と連結される。前記エアーウォッシュ流入口３１は、加湿連結流路１０５と連通または連結されることができる。
【０１６４】
前記ウォータリングユニット４００は、加湿媒体５０に水を供給する機能がある。前記ウォータリングユニット４００は、加湿過程を視角化する機能がある。前記ウォータリングユニット４００は、エアーウォッシュモジュール２００内部にレインビューを実現する機能がある。
【０１６５】
前記ウォータリングユニット４００は、ウォータリングハウジング８００を回転させて前記水槽内部の水を吸入し、吸入された水を上側に揚水し、揚水された水を半径方向外側に噴射する。前記ウォータリングユニット４００は、水を内部に吸入し、吸入された水を上側に揚水した後、半径方向外側に噴射させるウォータリングハウジング８００を備える。
【０１６６】
本実施形態では、水を噴射させるために、ウォータリングハウジング８００を回転させる。本実施形態とは異なり、前記ウォータリングハウジング８００の代わりに、ノズルを使用して水を噴射しても構わない。ノズルで水を噴射して加湿媒体５０に水を供給でき、レインビューも同様に実現することができる。実施形態によって、ノズルで水を噴射し、ノズルを回転させることもできる。
【０１６７】
前記ウォータリングハウジング８００から噴射された水が前記加湿媒体５０を濡らす。前記ウォータリングハウジング８００から噴射された水は、前記ビジュアルボディ２１０または加湿媒体５０のうち、少なくともいずれか１つに向かって噴射されることができる。
【０１６８】
ビジュアルボディ２１０に向かって噴射される水は、レインビューを実現することができる。加湿媒体５０に向かって噴射される水は、ろ過空気を加湿するのに用いられる。ビジュアルボディ２１０に向かって水を噴射してレインビューを実現した後、ビジュアルボディ２１０から流れ落ちた水が加湿媒体５０を濡らすように実現することができる。
【０１６９】
本実施形態では、ウォータリングハウジング８００に高さの異なる複数個の噴射口を配置する。いずれか１つの噴射口から吐出された水がビジュアルボディ２１０の内側面に液滴を形成してレインビューを実現し、残りの１つの噴射口から吐出された水が加湿媒体５０を濡らして加湿に用いられる。
【０１７０】
前記ウォータリングハウジング８００は、前記ビジュアルボディ２１０の内側面に向かって水を噴射し、噴射された水は、前記ビジュアルボディ２１０の内側面に沿って下方へ流れ落ちる。前記ビジュアルボディ２１０の内側面には、水滴形態で結ばれた液滴が形成され、ユーザは、前記ビジュアルボディ２１０を介して前記液滴を見ることができる。
【０１７１】
特に、ビジュアルボディ２１０から流れ落ちた水は、加湿媒体５０を濡らして加湿に用いられる。前記加湿媒体５０は、ウォータリングハウジング８００から噴射された水及びビジュアルボディから流れ落ちた水により濡らされることができる。
【０１７２】
前記ビジュアルボディ２１０は、前記水槽３００と結合され、前記水槽３００の上側に位置する。前記ビジュアルボディ２１０の少なくとも一部は、内部を透視できる材質で形成される。
【０１７３】
前記ビジュアルボディ２１０の外側にディスプレイモジュール１６０が配置され得る。前記ディスプレイモジュール１６０は、ビジュアルボディ２１０またはアッパーボディ１２０のうち、いずれか１つに結合されることができる。
【０１７４】
前記ディスプレイモジュール１６０は、レインビューを観察できる視線上に配置される。本実施形態において前記ディスプレイモジュール１６０は、前記アッパーボディ１２０に配置される。
【０１７５】
前記エアーウォッシュモジュール２００が据え置かれるとき、前記ビジュアルボディ２１０の外側面が前記ディスプレイモジュール１６０に密着される。前記ディスプレイモジュール１６０の表面のうち、少なくとも一部は、光を反射する材質で形成されるか、コーティングされることができる。
【０１７６】
前記ビジュアルボディ２１０に結ばれた液滴は、前記ディスプレイモジュール１６０の表面にも投影される。これにより、ユーザは、前記ビジュアルボディ２１０及びディスプレイモジュール１６０の２ヶ所で液滴の動きを観察できる。
【０１７７】
前記水槽３００には、空気が通じるエアーウォッシュ流入口３１が形成される。前記エアーウォッシュ流入口３１は、連結流路１０３及び加湿流路１０６間に位置する。前記エアーウォッシュ流入口３１は、連結流路１０３の出口であり、加湿流路１０６の入口である。
【０１７８】
前記エアークリーンモジュール１００から供給されたろ過空気は、前記エアーウォッシュ流入口３１を介して前記エアーウォッシュモジュール２００内部に流動する。
【０１７９】
前記加湿媒体５０は、加湿流路１０６入口に配置される水槽加湿媒体５１及び加湿流路１０６出口に配置される吐出加湿媒体５５を備える。前記加湿流路１０６の出口と吐出流路１０７の入口とは、互いに連結される。これにより、前記吐出加湿媒体５５が吐出流路１０７に配置されても構わない。
【０１８０】
前記連結流路１０３、加湿流路１０６、及び吐出流路１０７はダクトなどのような構造物を介して形成されるものではないため、その境界を明確に区分し難い。ただし、加湿がなされる加湿流路１０６を水槽加湿媒体５１及び吐出加湿媒体５５間と定義する場合、連結流路１０３及び吐出流路１０７が自然に定義される。
【０１８１】
前記連結流路１０３は、送風ハウジング１５０及び水槽加湿媒体５１間と定義される。前記吐出流路１０７は、吐出加湿媒体５５以後と定義される。
【０１８２】
本実施形態において前記水槽加湿媒体５１は、水槽３００のエアーウォッシュ流入口３１に配置される。
【０１８３】
前記水槽加湿媒体５１は、エアーウォッシュ流入口３１と同一平面上、外側、または内側のうち、少なくともいずれか１つに位置し得る。前記水槽加湿媒体５１は、加湿のために水が濡らされるので、前記エアーウォッシュ流入口３１の内側に位置することが好ましい。
【０１８４】
前記水槽加湿媒体５１を濡らした後、流れ落ちた水は、前記水槽３００に保存されることが好ましい。前記水槽加湿媒体５１を濡らした後、流れ落ちた水が前記水槽３００外部に流れ落ちないように配置されることが好ましい。
【０１８５】
これにより、前記水槽加湿媒体５１は、前記エアーウォッシュ流入口３１を通過するろ過空気に対して加湿を提供する。
【０１８６】
前記加湿媒体５０で自然蒸発された水によりろ過空気が加湿される。前記自然蒸発は、別の熱を加えなかった状態で水が蒸発されることをいう。空気との接触が増加するほど、空気の流速が速くなるほど、空気中の圧力が低くなるほど、自然蒸発が促進される。前記自然蒸発を自然気化と指すこともある。
【０１８７】
前記加湿媒体５０は、水の自然蒸発を促進させる。本実施形態において前記加湿媒体５０は、水に濡らされるが、水槽３００には浸らない。
【０１８８】
前記水槽３００に保存された水と離間し、分離されて配置されるので、水槽３００に保存された水があっても水槽加湿媒体５１及び吐出加湿媒体５５は、常に濡らされた状態ではない。すなわち、加湿モードで作動されるときにのみ水槽加湿媒体５１及び吐出加湿媒体５５が濡らされた状態であり、空気清浄モードで作動されるときには、水槽加湿媒体５１及び吐出加湿媒体５５が乾燥された状態で維持されることができる。
【０１８９】
前記水槽加湿媒体５１は、前記エアーウォッシュ流入口３１をカバーし、空気は、前記水槽加湿媒体５１を貫通して前記水槽３００内部に流動する。
【０１９０】
前記吐出加湿媒体５５は、加湿流路１０６の出口または吐出流路１０７入口に配置されることができる。
【０１９１】
本実施形態において前記吐出加湿媒体５５は、ビジュアルボディ２１０の上部をカバーするように配置される。前記吐出加湿媒体５５は、ビジュアルボディ２１０に据え置かれる。本実施形態とは異なり、吐出加湿媒体５５は、トップカバーアセンブリ２３０の底面に結合されることができる。
【０１９２】
前記吐出加湿媒体５５は、前記吐出流路１０７をカバーし、加湿空気は、前記吐出加湿媒体５５を貫通した後、吐出流路１０７に流動する。
【０１９３】
以下、図面を参照して空気の流動について説明する。
【０１９４】
送風ユニット２０が作動されれば、外部空気は、ベースボディ１１０の下側面に形成された吸入流路１０１を介してベースボディ１１０内部に流入する。前記吸入流路１０１を介して吸入された空気は、上側に移動されつつエアークリーンモジュール１００及びエアーウォッシュモジュール２００を順に通過し、エアーウォッシュモジュール２００の上側に形成された吐出流路１０７を介して外部に吐出される。
【０１９５】
前記吸入流路１０１に吸入された空気は、フィルタアセンブリ１０のろ過流路１０２を通過し、前記フィルタアセンブリ１０２は、外部空気をろ過する。
【０１９６】
前記ろ過流路１０２を通過した空気は、送風ユニット２０を介して連結流路１０３に流動する。前記ろ過流路１０２を通過した空気は、送風流路１０８に流入する。
【０１９７】
前記ろ過空気は、送風流路１０８で送風ファン２４により加圧された後、クリーン連結流路１０４に流動する。
【０１９８】
前記送風ユニット２０は、ろ過流路１０２の次に配置されるので、ろ過空気を加圧して送風するようになる。フィルタアセンブリ１０及び送風ユニット２０の先後関係配置を介して前記送風ファン２４に埃などのような異物が付着されることを最小化させることができる。
【０１９９】
前記送風ユニット２０がろ過流路１０２前に配置される場合、外部空気が送風ファン２４と先に接触され、このため、送風ファン２４に異物が付着される蓋然性が高まる。送風ファン２４が異物に汚染される場合、ユーザが周期的に掃除しなければならず、送風ファン２４を掃除するための構造を提供しなければならない。
【０２００】
本実施形態に係る送風ユニット２０は、空気中の異物が分離されたろ過空気を送風させるために、別の掃除を行わなくても構わない。
【０２０１】
また、送風ユニット２０は、加湿流路１０６前に配置されるので、送風ファン２４表面に水分が付着されることを最小化できる。送風ファン２４表面に加湿された水分が付着される場合、異物がからみつくか、かびなどが生じる蓋然性が大きい。
【０２０２】
前記送風ユニット２０は、ろ過流路１０２後及び加湿流路１０６前に配置されるので、送風ユニット２０の汚染を最小化できる。
【０２０３】
前記連結流路１０３は、エアークリーンモジュール１００に形成されたクリーン連結流路１０４及びエアーウォッシュモジュール２００に形成された加湿連結流路１０５で構成される。
【０２０４】
前記エアーウォッシュモジュール２００がアッパーボディ１２０に据え置かれた状態であるとき、前記クリーン連結流路１０４及び加湿連結流路１０５が連結される。前記エアーウォッシュモジュール２００が分離された状態であるとき、前記クリーン連結流路１０４及び加湿連結流路１０５は、外部に露出する。
【０２０５】
前記クリーン連結流路１０４は、アッパーボディ１２０に形成され、加湿連結流路１０５は、エアーウォッシュモジュール２００に形成され得る。
【０２０６】
前記クリーン連結流路１０４及び加湿連結流路１０５は、ダクト形態で形成されて明確な流路を形成することもできる。本実施形態では、連結流路１０３をアッパーボディ１２０の構造物及び水槽３００の構造物に分散配置する。
【０２０７】
ダクトのような構成によって連結流路１０３を形成させることもできる。しかし、ダクトのような構造物によって水槽３００内部に空気を供給する場合、ダクトによる流動抵抗が大きく発生し、流量を十分確保し難い。水槽３００に供給される流量が制限される場合、送風ファン２４のＲＰＭを増加させなければならず、これによる消費電力及び騷音が増加される。
【０２０８】
本実施形態では、連結流路１０３が３６０度全方向に前記水槽３００に空気を提供し、これにより十分な流量を確保することができる。
【０２０９】
送風流路１０８を通過したろ過空気は、アッパーボディ１２０に形成されたクリーン連結流路１０４に流動する。前記アッパーボディ１２０のクリーン連結流路１０４には、ろ過空気の流動方向切換を最小化させるエアーガイド１７０が配置され、前記エアーガイド１７０は、流動するろ過空気の転流角を最小化させる。
【０２１０】
本実施形態では、アッパーボディ１２０に水槽挿入空間１２５を刑成させるアッパーインナーボディ１４０が配置されるので、クリーン連結流路１０４とエアーウォッシュ流入口３１とが直接連結される。
【０２１１】
本実施形態とは異なり、前記アッパーインナーボディ１４０の高さが短かったり、無い場合、水槽３００の外側壁が加湿連結流路１０５を提供する。すなわち、アッパーインナーボディ１４０の底１４１のみあり、側壁がない場合、水槽３００の側壁外側が加湿連結流路１０５を提供し、エアーガイド１７０の内側がクリーン連結流路１０４を提供し、前記水槽３００が底１４１に据え置かれるとき、初めて連結流路１０３が連結される。
【０２１２】
本実施形態では、クリーン連結流路１０４のろ過空気がアッパー流入口１２１及びエアーウォッシュ流入口３１を順に通過した後、水槽加湿媒体５１を通過し、加湿流路１０６に流動する。
【０２１３】
前記加湿流路１０６は、ろ過空気に水分が供給される区間である。本実施形態において前記加湿流路１０６は、水槽加湿媒体５１から吐出加湿媒体５５までの流路または空間である。
【０２１４】
前記加湿流路１０６では、様々な経路を介して加湿がなされる。
【０２１５】
第１に、ろ過空気が水槽加湿媒体５１を通過する過程で水槽加湿媒体５１の水分が自然蒸発され、ろ過空気に水分が供給され得る。
【０２１６】
第２に、前記ウォータリングユニット４００で飛散した水滴によりろ過空気に水分が供給され得る。
【０２１７】
第３に、前記水槽３００で蒸発された水分により加湿がなされ得る。
【０２１８】
第４に、ろ過空気が吐出加湿媒体５５を通過する過程でも吐出加湿媒体５５に濡らされた水が自然蒸発され、ろ過空気に水分が供給され得る。
【０２１９】
このように、ろ過空気は、加湿流路１０６を通過するとき、様々な経路を介して水分の供給を受けることができる。
【０２２０】
そして、前記吐出加湿媒体５５を通過した空気は、吐出流路１０７を介して外部に露出する。
【０２２１】
前記吐出流路１０７を介してろ過及び加湿がなされた空気が吐出される。前記吐出流路１０７は、上側及び傾斜した方向に対して３６０度全方向に空気を吐出する。
【０２２２】
以上では、本発明の好ましい実施形態について図示し説明したが、本発明は、上述した特定の実施形態に限定されず、特許請求の範囲で請求する本発明の要旨を逸脱せず、当該発明の属する技術分野における通常の知識を有する者により様々な変形実施が可能であることはもちろんであり、このような変形実施等は、本発明の技術的思想や展望から個別的に理解されてはならないであろう。
【図１】
2018532095.tif 000003
【図２】
2018532095.tif 000004
【図３】
2018532095.tif 000005
【図４】
2018532095.tif 000006
【図５】
2018532095.tif 000007
【図６】
2018532095.tif 000008
【図７】
2018532095.tif 000009
【図８】
2018532095.tif 000010
【図９】
2018532095.tif 000011
【国際調査報告】
2018532095.tif 000012
2018532095.tif 000013
2018532095.tif 000014
2018532095.tif 000015